【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
ネックウェアであって：
ネックバンドと；
ネックバンドモジュールと；
少なくとも一つのディスプレイセグメントと；
少なくとも一つの締結具と；
第一のコイン、メダルまたは地金バーであって、前記ネックバンドモジュールが、前記第一のコイン、メダルまたは地金バーを含む区画を含み、前記ネックバンドモジュールが第一のコイン、メダルまたは地金バーを飾る、第一のコイン、メダルまたは地金バーと；
第二のコイン、メダルまたは地金バーであって、前記少なくとも一つのディスプレイセグメントが、前記第二のコイン、メダルまたは地金バーを含む区画を含み、前記少なくとも一つのディスプレイセグメントが、前記第二のコイン、メダルまたは地金バーを飾る、第二のコイン、メダルまたは地金バーと、を含み、
前記ネックバンドが前記ネックバンドモジュールに直接接続し、前記ネックバンドモジュールが前記少なくとも一つのディスプレイセグメントに直接接続し；
前記少なくとも一つの締結具が第一の締結具を含み、前記第一の締結具が前記ネックバンドモジュールを前記少なくとも一つのディスプレイセグメントに旋回可能に接続し；
前記第一のコイン、メダルまたは地金バーおよび前記第二のコイン、メダルまたは地金バーが互いに内部交換可能であり；
前記第一のコイン、メダルまたは地金バーおよび前記第二のコイン、メダルまたは地金バーが：
（ａ）鋳造所により販売される記念コイン、メダルまたは地金バー；
（ｂ）貴金属コイン、メダルまたは地金バー；および
（ｃ）カスタムデザインされたコイン、メダルまたは地金バー、からなる群から選択されるコイン、メダル、地金バーであり、
前記記念コイン、メダルまたは地金バーが、事象を記念するか、または成果や偉業を残した人々もしくは組織を称えるものであり、
前記貴金属コイン、メダルまたは地金バーが、銀、金または白金を含み、
前記カスタムデザインされたコイン、メダルまたは地金バーが、前記ネックバンドモジュールおよび前記ネックウェアの前記少なくとも一つのディスプレイセグメントのために構成される、ネックウェア。
【請求項２】
前記少なくとも一つのディスプレイセグメントが、複数のディスプレイセグメントを含み、前記複数のディスプレイセグメントが、第一のディスプレイセグメントと第二のディスプレイセグメントとを含み、
前記少なくとも一つの締結具が、前記第一のディスプレイセグメントを前記第二のディスプレイセグメントに接続する第二の締結具をさらに含む、請求項１に記載のネックウェア。
【請求項３】
前記ネックウェアが、前記ネックウェアをシャツに固定するよう構成されるクリップセグメントをさらに含む、請求項２に記載のネックウェア。
【請求項４】
前記少なくとも一つのディスプレイセグメントが、内部交換可能なディスプレイセグメントである、請求項１に記載のネックウェア。
【請求項５】
前記少なくとも一つの内部交換可能なディスプレイセグメントが、鍵またはツールなしで内部交換されるよう構成される、請求項４に記載のネックウェア。
【請求項６】
前記少なくとも一つのディスプレイセグメントが、留め具を含む、請求項１に記載のネックウェア。
【請求項７】
前記ネックウェアが、コイン、メダル、または地金バーを含むように構成された区画を含まない少なくとも一つのセグメントをさらに含む、請求項１に記載のネックウェア。
【請求項８】
前記少なくとも一つの締結具が分離ヒンジを含む、請求項１に記載のネックウェア。
【請求項９】
前記少なくとも一つの締結具が、クイックリリースバックルを含む、請求項１に記載のネックウェア。
【請求項１０】
ネックウェアであって：
ネックバンドと；
ネックバンドモジュールと；
第一のディスプレイセグメントおよび第二のディスプレイセグメントを含む少なくとも二つのディスプレイセグメントと；
少なくとも二つの締結具と；
第一のコイン、メダルまたは地金バーであって、前記第一のディスプレイセグメントが、前記第一のコイン、メダルまたは地金バーを含む区画を含み、前記第一のディスプレイセグメントが、前記第一のコイン、メダルまたは地金バーを飾る、第一のコイン、メダルまたは地金バーと；
第二のコイン、メダルまたは地金バーであって、前記第二のディスプレイセグメントが、前記第二のコイン、メダルまたは地金バーを含む区画を含み、前記第二のディスプレイセグメントが、前記第二のコイン、メダルまたは地金バーを飾る、第二のコイン、メダルまたは地金バーと；を含み、
前記ネックバンドが前記ネックバンドモジュールに直接接続し、前記ネックバンドモジュールが第一のディスプレイセグメントに直接接続し；前記第一のディスプレイセグメントが前記第二のディスプレイセグメントに直接接続し；
前記ネックバンドモジュールが、コイン、メダルまたは地金バーを収容するように構成された区画を含まず；
前記第一のコイン、メダルまたは地金バーおよび前記第二のコイン、メダルまたは地金バーが互いに内部交換可能であり、
前記少なくとも二つの締結具が、第一の締結具および第二の締結具を含み、前記第一の締結具が、前記ネックバンドモジュールを前記第一のディスプレイセグメントに旋回可能に接続し、前記第二の締結具が、前記第一の締結具を前記第二のディスプレイセグメントに旋回可能に接続し；
前記第一のコイン、メダルまたは地金バーおよび前記第二のコイン、メダルまたは地金バーが：
（ａ）鋳造所により販売される記念コイン、メダルまたは地金バー；
（ｂ）貴金属コイン、メダルまたは地金バー；および
（ｃ）カスタムデザインされたコイン、メダルまたは地金バー、からなる群から選択されるコイン、メダル、地金バーであり、
前記記念コイン、メダルまたは地金バーが、事象を記念するか、または成果や偉業を残した人々もしくは組織を称えるものであり、
前記貴金属コイン、メダルまたは地金バーが、銀、金または白金を含み、
前記カスタムデザインされたコイン、メダルまたは地金バーが、前記ネックバンドモジュールおよび前記ネックウェアの前記少なくとも二つのディスプレイセグメントのために構成される、ネックウェア。
【請求項１１】
前記第一のディスプレイセグメントおよび前記第二のディスプレイセグメントが、内部交換可能なディスプレイセグメントを含む、請求項１０に記載のネックウェア。
【請求項１２】
前記ネックウェアが、前記ネックウェアをシャツに固定するよう構成されるクリップセグメントをさらに含む、請求項１０に記載のネックウェア。
【請求項１３】
前記第一のディスプレイセグメントが、留め具を含む、請求項１０に記載のネックウェア。
【請求項１４】
前記ネックウェアが、コイン、メダル、または地金バーを含むように構成された区画を含まない少なくとも一つのセグメントをさらに含む、請求項１０に記載のネックウェア。
【請求項１５】
前記内部交換可能なディスプレイセグメントが、鍵またはツールなしで内部交換されるよう構成される、請求項１１に記載のネックウェア。
【請求項１６】
コイン、メダルまたは地金バーを収容および飾るように構成されたネックウェアであって、前記ネックウェアが、少なくとも一つの追加のコイン、メダルまたは地金バーを収容および飾るように拡張可能であることができ、
ネックバンドと；
ネックバンドモジュールと；
第一の交換可能なディスプレイセグメントと；
第一のコイン、メダル、または地金バーと；を含み、
前記ネックバンドが前記ネックバンドモジュールに接続し、
前記ネックバンドモジュールが、前記第一のコイン、メダルまたは地金バーを含む区画を含み、前記第一のコイン、メダルまたは地金バーを飾るように構成され；
前記ネックバンドモジュールが、前記ネックバンドを前記第一の交換可能なディスプレイセグメントに直接接続し、第二のコイン、メダルまたは地金バーを収容および飾ることができる、第一の締結具の締結具または第一の部材を含み；
前記第一のコイン、メダルまたは地金バーが：
（ａ）鋳造所により販売される記念コイン、メダルまたは地金バー；
（ｂ）貴金属コイン、メダルまたは地金バー；および
（ｃ）カスタムデザインされたコイン、メダルまたは地金バー、からなる群から選択されるコイン、メダル、地金バーであり、
前記記念コイン、メダルまたは地金バーが、事象を記念するか、または成果や偉業を残した人々もしくは組織を称えるものであり、
前記貴金属コイン、メダルまたは地金バーが、銀、金または白金を含み、
前記カスタムデザインされたコイン、メダルまたは地金バーが、前記ネックバンドモジュールおよび前記ネックウェアの前記第一の交換可能なディスプレイセグメントのために構成され；
前記第一の交換可能なディスプレイセグメントが、第二のコイン、メダルまたは地金バーを含む区画を含み、前記第一の交換可能なディスプレイセグメントが、第三のコイン、メダルまたは地金バーを収容および飾るために、前記第一の交換可能なディスプレイセグメントを第二の交換可能なディスプレイセグメントに接続するための第二の締結具または第二の締結具の第一の部材を含む；ネックウェア。
【請求項１７】
前記ネックバンドモジュールが留め具を含む、請求項１６に記載のネックウェア。
【請求項１８】
コイン、メダル、または地金バーを収容および飾るように構成された区画を含まない少なくとも一つのセグメントをさらに含む、請求項１６に記載のネックウェア。
【請求項１９】
前記第二のコイン、メダルまたは地金バーが、前記第一のコイン、メダルまたは地金バーと同じコイン、メダルまたは地金バーのセットまたはシリーズの部材である、請求項１６に記載のネックウェア。
【請求項２０】
前記第一のコイン、メダルまたは地金バーおよび前記第二のコイン、メダルまたは地金バーが互いに内部交換可能である、請求項１６に記載のネックウェア。
【請求項２１】
前記第二の交換可能なセグメントをさらに含み、前記第二の交換可能なディスプレイセグメントが、前記第三のコイン、メダルまたは地金バーを含む区画を含み、前記第二の交換可能なディスプレイセグメントが、第四のコイン、メダルまたは地金バーを収容および飾るために、前記第二の交換可能なディスプレイセグメントを第三の交換可能なディスプレイセグメントに接続するための第三の締結具または第三の締結具の第一の部材を含む、請求項１６に記載のネックウェア。
【請求項２２】
前記第三のコイン、メダルまたは地金バーが、前記第二のコイン、メダルまたは地金バーと同じコイン、メダルまたは地金バーのセットまたはシリーズの部材である、請求項２１に記載のネックウェア。
【請求項２３】
前記第一のコイン、メダルまたは地金バー、前記第二のコイン、メダルまたは地金バー、および前記第三のコイン、メダルまたは地金バーが互いに内部交換可能である、請求項２２に記載のネックウェア。
【請求項２４】
単一のコイン、メダルまたは地金バーを収容および飾るように構成されたネックウェアであって、
前記ネックウェアが、少なくとも一つの追加のコイン、メダルまたは地金バーを収容および飾るように拡張可能であることができ、
ネックバンドおよびネックバンドモジュールを含み；
前記ネックバンドが前記ネックバンドモジュールに直接接続し、
前記ネックバンドモジュールが、第一のコイン、メダルまたは地金バーを収容および飾る第一の内部交換可能なディスプレイインサートを収容するように構成された区画を含み、
前記ネックバンドモジュールが、前記ネックバンドを、第二のコイン、メダルまたは地金バーを飾るための第二の内部交換可能なディスプレイインサートを収容する区画を含む第一の交換可能なディスプレイセグメント、または第一の交換可能なセグメントに旋回可能かつ直接接続することができる第一の締結具または第一の締結具の第一の部材を含み；前記第一の交換可能なディスプレイセグメントまたは前記第一の交換可能なセグメントが、他の締結具または第一の締結具の第二の部材を含む、ネックウェア。
【請求項２５】
前記ネックバンドモジュールが、前記第一の内部交換可能なディスプレイインサートを含む、請求項２４に記載のネックウェア。
【請求項２６】
前記第一の内部交換可能なディスプレイインサートをさらに含み、前記第一の内部交換可能なディスプレイインサートが、前記第一のコイン、メダルまたは地金バーを含む、請求項２５に記載のネックウェア。
【請求項２７】
前記ネックバンドモジュール内に含まれる前記第一の内部交換可能なディスプレイインサートが、コインホルダ、コインカプセル、または地金バーホルダを含む、請求項２５に記載のネックウェア。
【請求項２８】
前記コインホルダ、コインカプセル、または地金バーホルダが、前記第一のコイン、メダル、または地金バーを含む、請求項２７に記載のネックウェア。
【請求項２９】
前記第一のコイン、メダルまたは地金バーおよび第二のコイン、メダルまたは地金バーが、コイン、メダルまたは地金バーのセットまたはシリーズの部材である、請求項２８に記載のネックウェア。
【請求項３０】
前記ネックバンドモジュールが留め具を含む、請求項２４に記載のネックウェア。
【請求項３１】
ディスプレイインサートを収容するように構成された区画を含まない少なくとも一つのセグメントをさらに含む、請求項２４に記載のネックウェア。
【請求項３２】
前記区画を含む前記第一の交換可能なディスプレイセグメントをさらに含み、前記区画が前記第二の内部交換可能なディスプレイインサートを収容するように構成され、
前記第一の交換可能なディスプレイセグメントが、第三のコイン、メダルまたは地金バーを飾るための第三の内部交換可能なディスプレイインサートを収容するために、前記第一の交換可能なディスプレイセグメントを第二の交換可能なディスプレイセグメントに直接接続するための第二の締結具または第二の締結具の第一の部材を含む、請求項２４に記載のネックウェア。
【請求項３３】
複数の交換可能なディスプレイセグメントを含み、前記複数が前記第一の交換可能なディスプレイセグメントおよび前記第二の交換可能なディスプレイセグメントを含み、
前記第二の変更可能なディスプレイセグメントが、前記第三の内部交換可能なディスプレイインサートを収容するように構成された区画を含む、請求項３２に記載のネックウェア。
【請求項３４】
前記第一の交換可能なディスプレイセグメントが、留め具を含む、請求項３２に記載のネックウェア。
【請求項３５】
前記第一の交換可能なディスプレイセグメントが、前記第二の内部交換可能なディスプレイインサートを含む、請求項３２の記載のネックウェア。
【請求項３６】
前記第一の交換可能なディスプレイセグメント内に含まれる前記第二の内部交換可能なディスプレイインサートが、コインホルダ、コインカプセル、または地金バーホルダを含む、請求項３５に記載のネックウェア。
【請求項３７】
前第二の内部交換可能なディスプレイインサートが、前記第二のコイン、メダル、または地金バーを含む、請求項３５に記載のネックウェア。
【請求項３８】
前記第一の内部交換可能なディスプレイインサートをさらに含み、前記第一の内部交換可能なディスプレイインサートおよび前記第二の内部交換可能なディスプレイインサートが互いに内部交換可能である、請求項３５に記載のネックウェア。
【請求項３９】
前記第一のコイン、メダルまたは地金バーをさらに含み、前記第一のコイン、メダルまたは地金バーおよび前記第二のコイン、メダル、または地金バーが、コイン、メダルまたは地金バーのセットまたはシリーズの部材である、請求項３７に記載のネックウェア。
【請求項４０】
ネックウェアであって：
ネックバンドと；
ネックバンドモジュールと；
第一のディスプレイセグメントおよび第二のディスプレイセグメントを含む少なくとも二つのディスプレイセグメントと；
第一の締結具および第二の締結具と；
第一のコイン、メダルまたは地金バーを含むように構成された、第一のコインホルダ、コインカプセルまたは地金バーホルダを含む、第一のディスプレイインサートと；
第二のコイン、メダルまたは地金バーを含むように構成された、第二のコインホルダ、コインカプセルまたは地金バーホルダを含む、第二のディスプレイインサートと；
第三のコイン、メダルまたは地金バーを含むように構成された、第三のコインホルダ、コインカプセルまたは地金バーホルダを含む、第三のディスプレイインサートと；を含み、
前記ネックバンドが前記ネックバンドモジュールに直接接続し、前記ネックバンドモジュールが前記第一のディスプレイセグメントに直接接続し、前記第一のディスプレイセグメントが前記第二のディスプレイセグメントに直接接続し；
前記ネックバンドモジュールが、前記第一のディスプレイインサートを収容するように構成された区画を含み；
前記第一のディスプレイセグメントが、前記第二のディスプレイインサートを収容するように構成された区画を含み；
前記第二のディスプレイセグメントが、前記第三のディスプレイインサートを収容するように構成された区画を含み；
前記第一の締結具が、前記ネックバンドモジュールを前記第一のディスプレイセグメントに旋回可能かつ直接接続し；
前記第二の締結具が、前記第一のディスプレイセグメントを前記第二のディスプレイセグメントに旋回可能かつ直接接続する；ネックウェア。
【請求項４１】
前記第一のコイン、メダルまたは地金バー；前記第二のコイン、メダルまたは地金バー；および前記第三のコイン、メダルまたは地金バーをさらに含み；
前記第一のコインホルダ、コインカプセル、または地金バーホルダが、前記第一のコイン、メダル、または地金バーを含み、
前記第二のコインホルダ、コインカプセル、または地金バーホルダが、前記第二のコイン、メダル、または地金バーを含み、
前記第三のコインホルダ、コインカプセル、または地金バーホルダが、前記第三のコイン、メダル、または地金バーを含む、請求項４０に記載のネックウェア。
【請求項４２】
前記第一のコイン、メダルまたは地金バー、前記第二のコイン、メダルまたは地金バー、および前記第三のコイン、メダル、または地金バーが、コイン、メダルまたは地金バーのセットまたはシリーズの部材である、請求項４１に記載のネックウェア。
【請求項４３】
前記第一のコインホルダ、コインカプセルまたは地金バーホルダ、前記第二のコインホルダ、コインカプセルまたは地金バーホルダ、および前記第三のコインホルダ、コインカプセルまたは地金バーホルダが、互いに内部変更可能である、請求項４０に記載のネックウェア。
【請求項４４】
前記ネックバンドモジュールが留め具を含む、請求項４０に記載のネックウェア。
【請求項４５】
ディスプレイインサートを収容するように構成された区画を含まない少なくとも一つのセグメントをさらに含む、請求項４０に記載のネックウェア。
【請求項４６】
ネックウェアであって：
ネックバンドと；
ネックバンドモジュールと；
第一のディスプレイセグメントおよび第二のディスプレイセグメントを含む少なくとも二つのディスプレイセグメントと；
第一の締結具および第二の締結具と；
第一のコイン、メダルまたは地金バーを含むように構成された、第一のコインホルダ、コインカプセルまたは地金バーホルダを含む、第一のディスプレイインサートと；
第二のコイン、メダルまたは地金バーを含むように構成された、第二のコインホルダ、コインカプセルまたは地金バーホルダを含む、第二のディスプレイインサートと；を含み、
前記ネックバンドが前記ネックバンドモジュールに直接接続し、前記ネックバンドモジュールが前記第一のディスプレイセグメントに直接接続し、前記第一のディスプレイセグメントが前記第二のディスプレイセグメントに接続し；
前記ネックバンドモジュールが、任意のディスプレイインサートを収納するように構成されておらず；
前記第一のディスプレイセグメントが、前記第一のディスプレイインサートを収容するように構成された区画を含み；
前記第二のディスプレイセグメントが、前記第二のディスプレイインサートを収容するように構成された区画を含み；
前記第一の締結具が、前記ネックバンドモジュールを前記第一のディスプレイセグメントに旋回可能かつ直接接続し；
前記第二の締結具が、前記第一のディスプレイセグメントを前記第二のディスプレイセグメントに旋回可能かつ直接接続する；ネックウェア。
【請求項４７】
前記第一のコインホルダ、コインカプセルまたは地金バーホルダが、前記第一のコイン、メダルまたは地金バーを含み、前記第二のコインホルダ、コインカプセルまたは地金バーホルダが、前記第二のコイン、メダルまたは地金バーを含む、請求項４６に記載のネックウェア。
【請求項４８】
前記第一のコイン、メダルまたは地金バーおよび前記第二のコイン、メダルまたは地金バーが、コイン、メダルまたは地金バーのセットまたはシリーズの部材である、請求項４７に記載のネックウェア。
【請求項４９】
前記第一のディスプレイセグメントおよび前記第二のディスプレイセグメントが、互いに内部交換可能である、請求項４８に記載のネックウェア。
【請求項５０】
ネックウェアであって：
ネックバンドと；
ネックバンドモジュールと；
少なくとも一つのディスプレイセグメントと；
少なくとも一つの締結具と；
第一のディスプレイインサートと；
第一のコイン、メダルまたは地金バーであって、前記第一のディスプレイインサートが前記第一のコイン、メダルまたは地金バーを含みおよび飾る、第一のコイン、メダルまたは地金バーと；
第二のディスプレイインサートと；
第二のコイン、メダルまたは地金バーであって、前記第二のディスプレイインサートが前記第二のコイン、メダルまたは地金バーを含みおよび飾る、第二のコイン、メダルまたは地金バーと；を含み、
前記ネックバンドが前記ネックバンドモジュールに接続され、前記ネックバンドモジュールが前記少なくとも一つのディスプレイセグメントに接続され；
前記ネックバンドモジュールが前記第一のディスプレイインサートを収容し；
前記少なくとも一つのディスプレイセグメントが、前記第二のディスプレイインサートを収容し；
前記少なくとも一つの締結具が第一の締結具を含み、前記第一の締結具が前記ネックバンドモジュールを前記少なくとも一つのディスプレイセグメントに旋回可能に接続し；
前記第一のディスプレイインサートおよび前記第二のディスプレイインサートが互いに交換可能であり；
前記少なくとも一つのディスプレイセグメントが、複数のディスプレイセグメントを含み、前記複数のディスプレイセグメントが第一のディスプレイセグメントおよび第二のディスプレイセグメントを含み、前記第一のディスプレイセグメントを前記第二のディスプレイセグメントに接続する第二の締結具をさらに含む、ネックウェア。
【請求項５１】
前記複数のディスプレイセグメントが、内部交換可能なディスプレイセグメントを含む、請求項５０に記載のネックウェア。
【請求項５２】
前記少なくとも一つのディスプレイセグメントが、留め具を含む、請求項５０に記載のネックウェア。
【請求項５３】
前記留め具が、鍵またはツールなしで、前記少なくとも一つのディスプレイセグメントに接続および接続解除されるよう構成される、請求項５２に記載のネックウェア。
【請求項５４】
前記ネックウェアが、前記ネックウェアをシャツに固定するよう構成されるクリップセグメントをさらに含む、請求項５０に記載のネックウェア。
【請求項５５】
前記ネックウェアが、ディスプレイインサートを収容するよう構成されない、少なくとも一つの胴体セグメントをさらに含む、請求項５０に記載のネックウェア。
【請求項５６】
前記第一の締結具が分離ヒンジを含む、請求項５０に記載のネックウェア。
【請求項５７】
前記第一の締結具が、クイックリリースバックルを含む、請求項５０に記載のネックウェア。
【請求項５８】
前記第一のディスプレイインサートおよび前記第二のディスプレイインサートが、鍵またはツールなしで内部交換されるように構成される、請求項５０に記載のネックウェア。
【請求項５９】
前記第一のディスプレイインサートが、第一のコインホルダ、コインカプセルまたは地金バーカプセルを含み、前記第二のディスプレイインサートが、第二のコインホルダ、コインカプセルまたは地金バーカプセルを含む、請求項５０に記載のネックウェア。
【請求項６０】
前記第一のコインホルダ、コインカプセルまたは地金バーカプセルが、前記第一のコイン、メダルまたは地金バーを含み、前記第二のコインホルダ、コインカプセルまたは地金バーカプセルが、前記第二のコイン、メダルまたは地金バーを含む、請求項５９に記載のネックウェア。
【請求項６１】
前記少なくとも一つのディスプレイセグメントが：
前記ディスプレイセグメントの一端に提供される前記第一の締結具の一部分と；
前記ディスプレイセグメントの別の一端に提供される第二の締結具の一部分と；を含み、
前記第一の締結具の前記部分および前記第二の締結具の前記部分のそれぞれが分離ヒンジの部材を含むか、または前記第一の締結具の前記部分および前記第二の締結具の前記部分のそれぞれがクイックリリースバックルの部材を含む、請求項５０に記載のネックウェア。
【請求項６２】
ネックウェアであって：
ネックバンドと；
第一のコイン、メダルまたは地金バーと；
第二のコイン、メダルまたは地金バーと；
ガラスを介して前記第一コイン、メダル、または地金バーを飾る、気密されたネックバンドモジュールと；
ガラスを介して前記第二コイン、メダル、または地金バーを飾る、少なくとも一つの気密されたディスプレイセグメントと；
少なくとも一つの締結具と；を含み、
前記ネックバンドが前記気密されたネックバンドモジュールに接続され、前記気密されたネックバンドモジュールが前記少なくとも一つの気密されたディスプレイセグメントに接続され；
前記気密されたネックバンドモジュールが前記第一のコイン、メダル、または地金バーを含み；
前記少なくとも一つの気密されたディスプレイセグメントが前記第二のコイン、メダル、または地金バーを含み；
前記少なくとも一つの締結具が、前記気密されたネックバンドモジュールを前記少なくとも一つの気密されたディスプレイセグメントに旋回可能に接続する第一の締結具を含み；前記少なくとも一つの気密されたディスプレイセグメントが少なくとも一つの内部交換可能な気密されたディスプレイセグメントを含む、ネックウェア。
【請求項６３】
前記少なくとも一つの気密されたディスプレイセグメントが、第一の気密されたディスプレイセグメントおよび第二の気密されたディスプレイセグメントを含み、前記少なくとも一つの締結具が、前記第一の気密されたディスプレイセグメントを前記第二の気密されたディスプレイセグメントに接続する第二の締結具をさらに含む、請求項６２に記載のネックウェア。
【請求項６４】
前記ネックウェアが、前記ネックウェアをシャツに固定するよう構成されるクリップセグメントをさらに含む、請求項６２に記載のネックウェア。
【請求項６５】
前記ネックウェアが、コイン、メダルまたは地金バーを含まない少なくとも一つの胴体セグメントをさらに含む、請求項６２に記載のネックウェア。
【請求項６６】
前記気密されたネックバンドモジュールに含まれる前記第一のコイン、メダルまたは地金バーが、銀、銅、金、または白金を含む、請求項６２に記載のネックウェア。
【請求項６７】
前記少なくとも一つの締結具が分離ヒンジを含む、請求項６２に記載のネックウェア。
【請求項６８】
前記少なくとも一つの締結具が、クイックリリースバックルを含む、請求項６２に記載のネックウェア。
【請求項６９】
前記少なくとも一つの内部交換可能な気密されたディスプレイセグメントが、鍵またはツールなしで内部交換されるよう構成される、請求項６２に記載のネックウェア。
【請求項７０】
前記少なくとも一つの気密されたディスプレイセグメントが：
ディスプレイウィンドウと；
前記ディスプレイウィンドウの反対側のディスプレイセグメントの表面に提供されるパネルと；
前記パネルの一端に提供される前記第一の締結具の一部分と；
前記パネルの別の一端に提供される第二の締結具の一部分と；を含み、
前記第二のコイン、メダルまたは地金バーが前記ディスプレイウィンドウを通して見ることができ、
前記第一の締結具の前記部分および前記第二の締結具の前記部分のそれぞれが分離ヒンジの部材を含むか、または前記第一の締結具の前記部分および前記第二の締結具の前記部分のそれぞれがクイックリリースバックルの部材を含む、請求項６２に記載のネックウェア。
【請求項７１】
ネックウェアであって：
ネックバンドと；
ネックバンドモジュールと；
第一のコイン、メダル、または地金バーと；
第二のコイン、メダル、または地金バーと；
ガラスを介して前記第一のコイン、メダル、または地金バーを飾りおよび収容する、第一の気密されたディスプレイセグメントと；
ガラスを介して前記第二のコイン、メダル、または地金バーを飾りおよび収容する、第二の気密されたディスプレイセグメントと；
第一の締結具および第二の締結具と；を含み、
前記ネックバンドが前記ネックバンドモジュールに接続され、前記ネックバンドモジュールが前記第一の気密されたディスプレイセグメントに接続され、前記第二の気密されたディスプレイセグメントが前記第一の気密されたディスプレイセグメントに接続され；
前記ネックバンドモジュールがコイン、メダル、または地金バーを飾らず、前記ネックバンドモジュールが気密されておらず；
前記第一の締結具が、前記ネックバンドモジュールを前記第一の気密されたディスプレイセグメントに旋回可能に接続し；
前記第二の締結具が、前記第一の気密されたディスプレイセグメントを前記第二の気密されたディスプレイセグメントに旋回可能に接続し；
前記第一の気密されたディスプレイセグメントが、内部交換可能な気密されたディスプレイセグメントを含み、前記第二の気密されたディスプレイセグメントが、内部交換可能な気密されたディスプレイセグメントを含む、ネックウェア。
【請求項７２】
前記第一の気密されたディスプレイセグメントが：
ディスプレイウィンドウと；
前記ディスプレイウィンドウの反対側の前記ディスプレイセグメントの表面に提供されるパネルと；
前記パネルの一端に提供される前記第一の締結具の一部分と；
前記パネルの別の一端に提供される前記第二の締結具の一部分と；を含み、
前記第一のコイン、メダルまたは地金バーが前記ディスプレイウィンドウを通して見ることができ、
前記第一の締結具の前記部分および前記第二の締結具の前記部分のそれぞれが分離ヒンジの部材を含むか、または前記第一の締結具の前記部分および前記第二の締結具の前記部分のそれぞれがクイックリリースバックルの部材を含む、請求項７１に記載のネックウェア。